(57)【特許請求の範囲】
【請求項１】
プラント機器の情報を表示する表示装置と、この表示装置に表示される情報を選択することによりオペレータが操作情報を入力する入力装置と、この入力装置から入力された操作情報から操作信号を出力する操作出力手段と、この操作出力手段から出力される処理された前記操作信号によって対応するプラント機器を操作する出力装置とを備える操作装置において、
操作信号毎に優先処理する操作信号であるか否かを予め設定し記憶する優先指標情報記憶手段と、
優先処理中の操作信号の有無を記憶する優先有無記憶手段と、
操作信号が入力されると、前記優先有無記憶手段を参照して優先処理中の操作信号の有無を判定し、優先処理中の操作信号有のとき、前記入力された操作信号を無効とする先優先入力判定手段と、
この先優先入力判定手段によって優先処理中の操作信号無と判定され、かつ、前記入力された操作信号が前記優先指標情報記憶手段により優先処理するものであるとき、前記優先有無記憶手段を優先処理中の操作信号有に設定し、前記操作出力手段から操作完了通知を入力すると、前記優先有無記憶手段の前記優先処理中の操作信号有を優先処理中の操作信号無に設定変更する優先指標設定手段とを備えたことを特徴とする操作装置。
【請求項２】
プラント機器の情報を表示する表示装置と、この表示装置に表示される情報を選択することによりオペレータが操作情報を入力する入力装置と、この入力装置から入力された操作情報から操作信号を出力する操作出力手段と、この操作出力手段から出力される処理された前記操作信号によって対応するプラント機器を操作する出力装置とを備える操作装置において、
操作信号毎に操作信号を優先処理するか否かを予め設定し記憶する優先指標情報記憶手段と、
処理中の操作信号の有無を記憶する選択中指標記億手段と、
操作信号が入力されると、入力された操作信号が前記優先指標情報記憶手段を参照して優先処理に該当するか否かを判定し、この判定で優先処理する操作信号のとき、処理中の操作信号を無効とする一方、前記判定で優先処理する操作信号に不該当で、かつ、選択中指標記億手段から既に選択中の操作信号が有るとき、前記入力された操作信号を無効とする後優先入力判定手段と、
この後優先入力判定手段で前記優先処理する操作信号と判定されたとき、前記選択中指標記億手段を選択処理中に設定し、前記操作出力手段から操作完了通知を入力すると、前記選択中指標記億手段を未処理中に設定する選択中指標設定手段とを備えたことを特徴とする操作装置。
【請求項３】
プラント機器の情報を表示する表示装置と、この表示装置に表示される情報を選択することによりオペレータが操作情報を入力する入力装置と、この入力装置から入力された操作情報から操作信号を出力する操作出力手段と、この操作出力手段から出力される処理された前記操作信号によって対応するプラント機器を操作する出力装置とを備える操作装置において、
操作信号毎に前記操作出力手段の動作条件に対応する条件状態を記憶する条件状態記憶手段と、
操作信号毎に条件状態を作り出すための情報を予め設定する条件状態制御規定情報記憶手段と、
操作信号毎に前記操作出力手段の動作条件を予め設定する動作条件情報記憶手段と、
前記条件状態制御規定情報記憶手段に設定された情報と前記条件状態記憶手段に記憶された条件状態と今回入力された操作信号の状態とから今回の条件状態を決定し前記条件状態記憶手段へ記憶する条件状態制御手段と、
前記今回の条件状態と前記動作条件情報記憶手段の動作条件とに基づく判定に応じて前記操作出力手段へ操作要求する動作条件判定手段を備えたことを特徴とする操作装置。
【請求項４】
プラント機器の情報を表示する表示装置と、この表示装置に表示される情報を選択することによりオペレータが操作情報を入力する入力装置と、この入力装置から入力された操作情報から操作信号を出力する操作出力手段と、この操作出力手段から出力される処理された前記操作信号によって対応するプラント機器を操作する出力装置とを備える操作装置において、
操作信号毎に前記操作出力手段の動作条件の対応する条件状態を記憶する条件状態記憶手段と、
操作信号毎に条件状態を作り出すための情報を予め設定する条件状態制御規定情報記憶手段と、
操作信号毎に前記操作出力手段の動作条件を予め設定する動作条件情報記憶手段と、
前記条件状態制御規定情報記憶手段に設定された情報と前記条件状態記憶手段に記憶された条件状態と今回入力された操作信号の状態とから今回の条件状態を決定し前記条件状態記憶手段へ記憶する条件状態制御手段と、
プラントの状態を入力するプロセス状態入力手段と、
前記操作出力手段が出力する操作内容を動作条件の成立または不成立に対応して記憶する操作出力記憶手段と、
前記今回の条件状態と前記プラントの状態と前記動作条件情報記憶手段の動作条件とに基づく判定によって動作条件の成立または不成立を決定し、この決定に対応して前記操作出力記憶手段の操作内容により前記出力装置へ出力するように前記操作出力手段へ操作出力要求する動作条件判定手段とを備えたことを特徴とする操作装置。
【請求項５】
プラント機器の情報を表示する表示装置と、この表示装置に表示される情報を選択することによりオペレータが操作情報を入力する入力装置と、この入力装置から入力された操作情報と予め記憶された操作情報とから選択された操作信号を出力する操作出力手段と、この操作出力手段から出力される処理された前記操作信号によって対応するプラント機器を操作する出力装置とを備える操作装置において、
操作ステップ毎に操作信号の組を予め記憶する受付範囲情報記憶手段と、
この受付範囲情報記憶手段に記憶された情報に対応して操作ステップの有効無効を示す情報を記憶するステップ情報記憶手段と、
このステップ情報記憶手段から有効な操作ステップを取り出して対応する操作信号の組を前記受付範囲情報記憶手段から取り出し、操作信号が有効な操作信号か否かを判定するステップ有効判定手段と、
前記ステップ情報記憶手段に対応して各ステップ毎に操作信号の組を予め記憶して、次ステップの有効な操作信号の組を記憶する次ステップ設定情報記憶手段と、
前記ステップ有効判定手段から次の操作ステップと操作信号を取り込み次ステップ設定情報記憶手段から次操作ステップの有効な操作信号の組を前記ステップ情報記憶手段へ設定すると共に、前記操作出力手段へ操作出力要求する次ステップ設定手段とを備えたことを特徴とする操作装置。
【発明の詳細な説明】
【０００１】
【産業上の利用分野】
本発明は、表示装置に表示されるプラント情報に基づいて入力装置から操作される操作情報によってプラントを操作する操作装置に関する。
【０００２】
【従来の技術】
従来、発電プラントでは、機器ひとつひとつに対応して操作スイッチを有する操作盤を設けて、これを用いて各種機器および制御装置の操作指示を行っていた。ところが、最近、操作室の縮小化と操作スイッチのハードウェアコストの低減を目的として、ＣＲＴなどの表示装置と、この表示装置上でタッチした位置を入力する入力装置とによって操作を行う操作装置が主流となりつつある。
【０００３】
図２９は、この種の操作装置の従来例を示すものである。
【０００４】
この操作装置は、入力された操作情報に対応した操作出力の有無を記憶する受付範囲情報記憶手段１と操作入力手段２と操作出力手段３とを備えた計算機４と表示装置５Ａとこの表示装置５Ａ上からタッチ入力するタッチ操作装置５Ｂとからなる入力装置５と、オペレータが操作した情報に対応する操作出力をプラントへ出力する出力装置６とから構成されている。
【０００５】
この構成で、オペレータが入力装置５のタッチ操作装置５Ｂから操作入力すると、タッチエリアの座標データとして情報が計算機４の操作入力手段２へ入力される。操作入力手段２では、図３０に示す処理手順によって、まず、タッチエリアの座標データを入力する（１０１）。次に、タッチエリアの座標データが図３１の構成の受付範囲情報記憶手段１に予め記憶されているか否かを、ｉｎｄｅｘ＝０から順次検索する（１０２，１０３，１０４）。
【０００６】
受付範囲情報記憶手段１には、画面毎に受付範囲ｉｎｄｅｘ＝０からｉｎｄｅｘ＝ｎまで対応する座標が記憶されている。ここで、受付範囲情報記憶手段１にタッチエリアの座標があれば、操作出力手段３へｉｎｄｅｘに対応する操作信号を通知する（１０５）。これらの処理を受付範囲数まで繰り返す（１０６）。
【０００７】
操作出力手段３は、操作入力手段２からの要求によって対応する操作信号を出力装置６へ出力する。出力装置６では、操作信号に基づいて操作機器へ操作指令を出力する。この結果、オペレータが入力装置５から入力した操作内容が計算機４の処理によって出力装置６へ出力される。
【０００８】
例えば、表示装置５Ａに、図３２に示す如く、操作画面がオペレータによって選択されたとする。この操作画面では系統が「Ａ系」「Ｂ系」、弁の種類が「Ｘ弁」「Ｙ弁」「Ｚ弁」、指令が「開」「閉」と表示され、これらの画面配置のｘ，ｙ座標データと図３１に示す受付範囲情報記憶手段１の定義内容は操作画面毎に予め一致させてある。よって、操作画面上でＡ系統をタッチすると、操作入力手段２が入力されたｘ，ｙ座標データが受付範囲情報記憶手段１にあるか否かを判断し、例えば、図３３に示すビットマップ出力信号に「１」をセットして、図３４に示す操作信号を操作出力手段３へ出力する。
【０００９】
次に、「Ｘ弁」を選択すると、図３５に示す如くのビットマップ出力信号を出力装置６へ出力し、「開」を選択すると、図３６に示すビットマップ出力信号を出力する。出力装置６には、予め操作画面毎にビットマップ出力信号を解釈するデータが保存され、例えば、図３４に示すビットマップ出力信号によりＡ系統を特定するようにシーケンス回路が動作し、図３５に示すビットマップ出力信号によってＸ弁を特定し、図３６にビットマップ出力信号によってＸ弁に対し開指令を出力する。これによって、Ｘ弁が開かれその結果が表示装置５Ａに表示される。
【００１０】
【発明が解決しようとする課題】
しかしながら、上記した操作装置では、操作入力された操作信号と同じ操作信号が受付範囲を定めた受付範囲情報記憶手段１にあれば、無条件で操作出力手段３を介して出力装置６へ出力されるため、次のように誤った操作等がされる恐れが多く、また、オペレータの判断に依存した操作を要するためオペレータの負担が大きいという問題がある。
【００１１】
まず、表示装置５Ａ上でタッチ操作をする場合には、予め定められた操作順序に従って操作しなければならない場合があるが、図２９に示した操作装置はインタロック手段がないためにこれを無視した不要な操作や誤操作がされてもそのまま出力装置６から出力される危険性があるという問題がある。
【００１２】
例えば、図３２に示す操作画面でタッチ操作装置５Ｂによって「Ａ系」「Ｂ系」を選択せずに「Ｘ弁」を選択して「開」を選択すれば、そのまま出力装置６から操作出力がされるおそれがある。
【００１３】
また、図２９に示した操作装置では、単なる画一的な操作しか望めず、プラントの状態に応じた操作をオペレータに求める結果、オペレータに対する負担が大きく、また、プラントの状態に応じた最適な操作をすることが困難であるという問題がある。
【００１４】
そこで、本発明は、誤操作を阻止しプラント状態に応じた操作出力ができオペレータの負担の軽減を図る操作装置を提供することを目的とする。
【００１５】
【課題を解決するための手段】
請求項１に係る発明は、プラント機器の情報を表示する表示装置と、この表示装置に表示される情報を選択することによりオペレータが操作情報を入力する入力装置と、この入力装置から入力された操作情報から操作信号を出力する操作出力手段と、この操作出力手段から出力される処理された前記操作信号によって対応するプラント機器を操作する出力装置とを備える操作装置において、操作信号毎に優先処理する操作信号であるか否かを予め設定し記憶する優先指標情報記憶手段と、優先処理中の操作信号の有無を記憶する優先有無記憶手段と、操作信号が入力されると、前記優先有無記憶手段を参照して優先処理中の操作信号の有無を判定し、優先処理中の操作信号有のとき、前記入力された操作信号を無効とする先優先入力判定手段と、この先優先入力判定手段によって優先処理中の操作信号無と判定され、かつ、前記入力された操作信号が前記優先指標情報記憶手段により優先処理するものであるとき、前記優先有無記憶手段を優先処理中の操作信号有に設定し、前記操作出力手段から操作完了通知を入力すると、前記優先有無記憶手段の前記優先処理中の操作信号有を優先処理中の操作信号無に設定変更する優先指標設定手段とを備えるものである。
【００１６】
請求項２に係る発明は、プラント機器の情報を表示する表示装置と、この表示装置に表示される情報を選択することによりオペレータが操作情報を入力する入力装置と、この入力装置から入力された操作情報から操作信号を出力する操作出力手段と、この操作出力手段から出力される処理された前記操作信号によって対応するプラント機器を操作する出力装置とを備える操作装置において、操作信号毎に操作信号を優先処理するか否かを予め設定し記憶する優先指標情報記憶手段と、処理中の操作信号の有無を記憶する選択中指標記億手段と、操作信号が入力されると、入力された操作信号が前記優先指標情報記憶手段を参照して優先処理に該当するか否かを判定し、この判定で優先処理する操作信号のとき、処理中の操作信号を無効とする一方、前記判定で優先処理する操作信号に不該当で、かつ、選択中指標記億手段から既に選択中の操作信号が有るとき、前記入力された操作信号を無効とする後優先入力判定手段と、この後優先入力判定手段で前記優先処理する操作信号と判定されたとき、前記選択中指標記億手段を選択処理中に設定し、前記操作出力手段から操作完了通知を入力すると、前記選択中指標記億手段を未処理中に設定する選択中指標設定手段とを備えるものである。
【００１７】
請求項３に係る発明は、プラント機器の情報を表示する表示装置と、この表示装置に表示される情報を選択することによりオペレータが操作情報を入力する入力装置と、この入力装置から入力された操作情報から操作信号を出力する操作出力手段と、この操作出力手段から出力される処理された前記操作信号によって対応するプラント機器を操作する出力装置とを備える操作装置において、操作信号毎に前記操作出力手段の動作条件に対応する条件状態を記憶する条件状態記憶手段と、操作信号毎に条件状態を作り出すための情報を予め設定する条件状態制御規定情報記憶手段と、操作信号毎に前記操作出力手段の動作条件を予め設定する動作条件情報記憶手段と、前記条件状態制御規定情報記憶手段に設定された情報と前記条件状態記憶手段に記憶された条件状態と今回入力された操作信号の状態とから今回の条件状態を決定し前記条件状態記憶手段へ記憶する条件状態制御手段と、前記今回の条件状態と前記動作条件情報記憶手段の動作条件とに基づく判定に応じて前記操作出力手段へ操作要求する動作条件判定手段を備えものである。
【００１８】
請求項４に係る発明は、プラント機器の情報を表示する表示装置と、この表示装置に表示される情報を選択することによりオペレータが操作情報を入力する入力装置と、この入力装置から入力された操作情報から操作信号を出力する操作出力手段と、この操作出力手段から出力される処理された前記操作信号によって対応するプラント機器を操作する出力装置とを備える操作装置において、操作信号毎に前記操作出力手段の動作条件の対応する条件状態を記憶する条件状態記憶手段と、操作信号毎に条件状態を作り出すための情報を予め設定する条件状態制御規定情報記憶手段と、操作信号毎に前記操作出力手段の動作条件を予め設定する動作条件情報記憶手段と、前記条件状態制御規定情報記憶手段に設定された情報と前記条件状態記憶手段に記憶された条件状態と今回入力された操作信号の状態とから今回の条件状態を決定し前記条件状態記憶手段へ記憶する条件状態制御手段と、プラントの状態を入力するプロセス状態入力手段と、前記操作出力手段が出力する操作内容を動作条件の成立または不成立に対応して記憶する操作出力記憶手段と、前記今回の条件状態と前記プラントの状態と前記動作条件情報記憶手段の動作条件とに基づく判定によって動作条件の成立または不成立を決定し、この決定に対応して前記操作出力記憶手段の操作内容により前記出力装置へ出力するように前記操作出力手段へ操作出力要求する動作条件判定手段とを備えるものである。
【００１９】
請求項５に係る発明は、プラント機器の情報を表示する表示装置と、この表示装置に表示される情報を選択することによりオペレータが操作情報を入力する入力装置と、この入力装置から入力された操作情報と予め記憶された操作情報とから選択された操作信号を出力する操作出力手段と、この操作出力手段から出力される処理された前記操作信号によって対応するプラント機器を操作する出力装置とを備える操作装置において、操作ステップ毎に操作信号の組を予め記憶する受付範囲情報記憶手段と、この受付範囲情報記憶手段に記憶された情報に対応して操作ステップの有効無効を示す情報を記憶するステップ情報記憶手段と、このステップ情報記憶手段から有効な操作ステップを取り出して対応する操作信号の組を前記受付範囲情報記憶手段から取り出し、操作信号が有効な操作信号か否かを判定するステップ有効判定手段と、前記ステップ情報記憶手段に対応して各ステップ毎に操作信号の組を予め記憶して、次ステップの有効な操作信号の組を記憶する次ステップ設定情報記憶手段と、前記ステップ有効判定手段から次の操作ステップと操作信号を取り込み次ステップ設定情報記憶手段から次操作ステップの有効な操作信号の組を前記ステップ情報記憶手段へ設定すると共に、前記操作出力手段へ操作出力要求する次ステップ設定手段とを備えるものである。
【００２０】
【作用】
請求項１の発明は、優先処理に該当する操作信号のとき、優先有無記憶手段の対応する指標が優先処理中の操作信号有の指標に設定され、優先処理して操作出力手段から操作完了通知が入力されると、優先処理中の操作信号有が優先処理中の操作信号無に設定変更される。これにより、優先処理する操作信号が入力して優先処理中、他の操作信号を無効とすることができる。従って、従来の操作装置の各操作盤の操作スイッチと同様の優先処理が個別に操作信号毎に設定でき誤操作を防止し、オペレータの負担を軽減する。
【００２１】
請求項２の発明は、後優先処理する操作信号と判定されたとき、選択中指標記憶手段へ選択処理中の指標が設定され、操作出力手段から操作完了通知が入力されると、選択中指標記憶手段の対応する指標が未選択中の指標に設定される一方、選択処理中の操作信号有が判定されたとき、今回入力された後優先処理でない操作信号が無効される。これにより、既に選択中の操作信号がある場合には、その操作信号の操作出力が完了するまで次の操作信号を無効とすることができるが、既に選択中の操作信号があっても特定の操作信号を後優先で受け付けて操作出力を行うことができる。従って、従来の操作盤の操作スイッチと同様に後優先を個別に設定し、優先処理できるためオペレータの誤操作を防止すると共に、オペレータの負担軽減ができる。
【００２２】
請求項３の発明は、条件状態制御規定情報記憶手段の設定に従って、条件状態記憶手段に設定される条件状態が定められ、この条件状態に対して動作条件判定手段によって動作条件と比較され操作出力するか否かが判定される。従って、入力された操作信号の状態がそのまま出力されるのでなく、操作信号毎に操作出力の動作条件が定められ、動作条件と条件状態とによって操作されるため、誤操作が防止され、オペレータの判断を要することなく、オペレータの負担が軽減される。
【００２３】
請求項４の発明は、今回の条件状態とプラントの状態と動作条件とに基づく判定によって動作条件の成立または不成立が決定され、この決定に対応した操作内容により操作出力手段へ操作出力の要求がされる。従って、操作状態あるいはプラント状態が規定状態でない場合にも、オペレータが特別の操作を行わなくても一つの操作により操作出力すべきものを自動的に判断し、操作出力を行うことができ、オペレータの誤動作の防止と操作負担を軽減することができる。
【００２４】
請求項５の発明は、ある操作手順を選択すると、次の操作ステップの選択操作が有効となり、その操作を選択すると、次の操作ステップの選択操作が有効となる。従って、従来の操作盤の操作スイッチをオペレータが操作するときと同様の操作内容となり、一つの操作がされると、次のステップの操作が有効になるためオペレータの誤操作を防止すると共に、オペレータの負担を低減できる。
【００２５】
【実施例】
以下、本発明の実施例について図面を参照して説明する。
【００２６】
図１は、本発明の第１実施例を示す操作装置の構成図である。図１が従来例を示す図２９と同一符号は、同一部分または相当部分を示し、両者が異なる点は、図２９の計算機４に優先有無記憶手段７と先優先入力判定手段８と優先指標情報記憶手段９と優先指標設定手段１０とを追設したことである。
【００２７】
ここで、優先有無記憶手段７は、優先処理する操作信号が現在処理中か否かを指標によって記憶するものである。
【００２８】
先優先入力判定手段８は、操作信号が入力されると、優先有無記憶手段７に記憶された指標を参照して優先処理中の操作信号の有無を判定し、この判定で既に優先処理中の操作信号があるとき入力された操作信号を無効とするものである。
【００２９】
優先指標情報記憶手段９は、入力された操作信号を優先処理するか否かを指標によって操作信号毎に予め設定して記憶するものである。
【００３０】
優先指標設定手段１０は、先優先入力判定手段８の判定で優先処理中の操作信号があるとき、入力された操作信号を無効とし、優先処理中の操作信号が無いと判定されたとき、操作出力手段へ操作出力要求する一方、優先指標情報記憶手段９の対応する指標が優先処理のとき、優先有無記憶手段の対応する指標を優先処理中の操作信号有の指標に設定し、操作出力手段から操作完了通知を入力すると、前記優先処理中の操作信号有を優先処理中の操作信号無に設定変更するものである。
【００３１】
まず、表示装置５Ａの表示に基づいてタッチ操作装置５Ｂからオペレータが操作入力すると、ｘ，ｙ座標データとしての入力信号が操作入力手段２へ入力される。操作入力手段２では、操作入力が図３１に示す操作入力受付範囲情報記憶手段１に記憶された操作入力と比較され、操作入力が有効か否かの判断をする。この判断によって有効とされると、操作入力手段２は、対応するビットマップ出力信号としての操作信号を先優先入力判定手段８へ通知する。
【００３２】
入力された操作信号が先優先入力判定手段８へ通知されると、先優先入力判定手段８によって図２に示す如く処理がされる。
【００３３】
まず、優先処理すべき操作信号が現在入力して処理中か否かを先優先入力判定手段８が優先有無記憶手段７の指標から判定する。例えば、優先有無記憶手段７は、図３に示すように操作信号０〜ｎに対応して０または１の指標で記憶したものであり、全ての操作信号について０が記憶されている場合には今回より以前に入力された操作信号に優先処理中の操作信号が無いことを示し、少なくとも１つの操作信号について１が記憶されている場合には今回より以前に入力された操作信号に優先処理中の操作信号が有ることを示している。
【００３４】
この場合に、先優先入力判定手段８は、優先有無記憶手段７の中の１の指標が少なくとも１つあれば、優先処理する操作信号が既に入力されて現在処理中であるとして入力された操作信号を無効とする（２０１）。これによって、現在処理中の操作信号が優先的に処理される。
【００３５】
一方、優先有無記憶手段７の中の指標が全て０であれば、まだ優先処理する操作信号が入力されていないものとして優先指標設定手段１０へ操作信号を通知する（２０２）。
【００３６】
優先指標設定手段１０では、図４に示すように処理がされ、まず、先優先入力判定手段８から操作信号が通知されると、操作信号毎に優先する操作信号か否かを記憶した優先指標情報記憶手段９を参照して通知された操作信号が優先する操作信号か否かを判定する（３０２）。
【００３７】
例えば、優先指標情報記憶手段９は、図５に示すように予め操作信号０〜ｎに対応して優先処理する場合１、優先処理しない場合０をそれぞれ指標で記憶させたものである。
【００３８】
優先指標設定手段１０では通知された操作信号が優先指標情報記憶手段９に１の指標で記憶されているとき、図３に示す如くの優先有無記憶手段７の対応する操作信号に優先処理中を示す状態１を設定する（３０３）。そして、優先指標設定手段１０は、操作出力手段３へ操作出力の要求を行う（３０４）。
【００３９】
操作出力手段３は、操作出力要求を受けると出力装置６へ出力を行う。そして、操作出力が完了すると、優先指標設定手段１０へ操作出力の完了を通知する。優先指標設定手段１０は、操作出力手段３から操作出力の完了を通知されると、優先処理中の操作信号の操作出力の処理が完了したため、優先有無記憶手段７に優先処理中の操作信号はないことを示すために対応する操作信号の現在１の指標を０に変更する（３０５）。
【００４０】
これによって、次に入力される操作信号が有効となるようにする。
【００４１】
例えば、Ａ，Ｂ，Ｃ，Ｄ，Ｅ，Ｆという操作信号があり、Ｃを優先処理する操作信号と設定したと仮定し、まず、ＡとＢの操作信号が順次操作入力手段２へ入力すると、そのまま処理されて操作出力手段３から出力装置６へ出力される。
【００４２】
次に、Ｃの操作信号が入力されたとすると、優先有無記憶手段７に指標１を記憶させて処理を行い、操作出力手段３から操作出力の完了の通知を待つ。この間に、Ｂ，Ｅの操作信号が順次操作入力手段２へ入力してもＣの操作信号が優先処理中としてＢ，Ｅの操作信号を無効としての処理は行われず、操作出力手段３へ操作出力要求はされない。
【００４３】
Ｃの操作信号について操作出力手段３から操作出力の完了の通知があった後に、例えば、Ｆの操作信号が入力すれば通常の処理がされる。このように、例えば、Ｃの操作信号に処理完了前にＤの操作信号の処理が完了すると、Ｃの操作信号の処理後の状態に影響を与え、誤動作の原因等となる場合に予めＣを優先処理するようにすることによって誤動作を防止できる。
【００４４】
具体例に説明すると、ＡポンプとＢポンプとＣポンプとによる三重化された送水系統があり、いずれか一つのポンプだけを起動させる場合に、Ａポンプ，Ｂポンプ，Ｃポンプの操作信号に対応して優先指標情報記憶手段９の指標に優先処理を設定しておけば、まず、Ａポンプが操作され、次に、Ｂポンプ，Ｃポンプが操作されてもＢポンプとＣポンプの操作を無効とすることができる。従って、ＡポンプとＢポンプとＣポンプが同時に操作されることを防止することができる。
【００４５】
このように、優先処理する操作信号を入力した後は、優先処理する操作信号が出力装置６へ出力して完了するか、後述する優先を取り消す操作信号を入力するまで次の操作信号を無効とすることができる。従って、従来の操作装置の各操作盤の操作スイッチと同様の優先処理が個別に設定でき誤操作を防止し、オペレータの負担を軽減する効果がある。
【００４６】
次に、本発明の第２実施例を図６を参照して説明する。
【００４７】
図６が従来例を示す図２９と同一符号は、同一部分または相当部分を示し、両者が異なる点は、優先指標情報記憶手段９と後優先入力判定手段１１と選択中指標記憶手段１２と選択中指標設定手段１３とを追設したことであり、第１実施例と一体となって実施すれば、先優先処理中の場合にも、第２実施例による後優先処理が先行して処理することができるものである。
【００４８】
優先指標情報記憶手段９は、操作信号毎に後優先処理するか否かを指標によって予め設定するものである。
【００４９】
後優先入力判定手段１１は、入力された操作信号と優先有無記憶手段７に記憶された対応する指標とから後優先処理する操作信号か否かを判定すると共に、この判定で後優先処理する操作信号のとき他の処理中の操作信号を無効とする一方、前記判定で後優先処理する操作信号に不該当で、かつ、選択中指標記憶手段１２の指標から選択処理中の操作信号があるとき前記入力された操作信号を有無とするものである。
【００５０】
選択中指標記憶手段１２は、入力された操作信号より前に操作信号が既に入力され選択処理中または未選択中か否かを指標によって記憶するものである。
【００５１】
選択中指標設定手段１３は、後優先入力判定手段によって未選択中と判定されたとき操作出力手段３へ出力要求し、後優先入力判定手段１１によって後優先処理する操作信号と判定され処理中のとき、この後優先処理の操作信号が出力装置から出力された後に選択中指標記憶手段１２の対応する指標を未選択中の指標に設定するものである。
【００５２】
まず、入力装置５から操作入力されると、操作情報が操作入力手段２に入力し、受付範囲情報記憶手段１を参照して入力した操作情報が有効か否かの判断がされ、有効な選択された操作信号が後優先入力判定手段１１へ通知される。
【００５３】
操作信号が通知されると、後優先入力判定手段１１では、図７に示す処理に基づいて後優先処理する操作信号か否かを優先指標情報記憶手段９の指標より判定する。優先指標情報記憶手段９では、操作信号毎に対応して指標１または０で示し、１の指標を後優先処理として記憶させている。
【００５４】
後優先入力判定手段１１では、通知された操作信号が優先指標情報記憶手段９の指標から後優先処理する操作信号と判定した場合には、操作信号を選択中指標設定手段１３へ通知する（４０２）。
【００５５】
また、通知された操作信号が優先指標情報記憶手段９の指標から後優先処理する操作信号に該当しないと判定した場合には、今回より以前に入力された操作信号が処理中か否かを記憶している選択中指標記憶手段１２の指標から現在選択処理中か否かを判定する（４０３）。
【００５６】
例えば、選択中指標記憶手段１２は、図８に示すように、０または１の指標を記憶しており、０が記憶されている場合には現在選択処理中の操作信号が無いことを示し、１が記憶されている場合には現在選択処理中の操作信号が有ることを示す。
【００５７】
この場合に、後優先入力判定手段１１は、選択中指標記憶手段１２を参照し、その記憶されている指標が一つでも１であれば、選択中の操作信号があると判断し、今回入力された操作信号が後優先処理に該当しない操作信号であれば、今回入力された操作信号を無効とする。また、後優先入力判定手段１１は、選択中指標記憶手段１２を参照し、その記憶されている指標が０であれば、選択中の操作信号がないと判断し、操作信号を選択中指標設定手段１３へ通知する。
【００５８】
選択中指標設定手段１３では、図９に示すように処理がされ、後優先入力判定手段１１より後優先処理の操作信号が通知されると、選択中指標記憶手段１２に選択処理中であることを示すために１を記憶させる（５０１）（５０２）。そして、選択中指標設定手段１３は、操作出力手段３へ操作出力の要求を行う（５０３）。
【００５９】
操作出力手段３は、操作出力要求を受けると、出力装置６へ操作出力を行う。そして、操作出力が完了すると選択中指標設定手段１３へ操作出力の完了を通知する。選択中指標設定手段１３は、操作出力手段３から操作出力の完了を通知されると、選択中の操作信号の操作出力の処理が完了したため、選択中指標記憶手段１２に選択中の操作信号はないことを示すために０を記憶させ、次に入力される操作信号が有効となるようにする（５０４）。
【００６０】
例えば、ＡとＢの操作信号の内いずれか一つの操作信号にのみ処理できる操作装置において、Ｂの操作信号に後優先が設定されていれば、ＡよりＢが後に入力してＡが選択処理中でもＢが優先的に処理される。これによってＢの処理結果の状態がＡの処理結果に影響され誤動作の原因となる場合等に効果がある。
【００６１】
また、第１実施例において第２実施例の後優先処理を加えると、Ａポンプ，Ｂポンプ，Ｃポンプに先優先処理が設定され、Ａポンプの操作信号が入力されて先優先処理として処理中でも取消しを後優先処理として操作信号を入力すればＡポンプの操作信号を取り消すことができる。この場合に、ＢポンプまたはＣポンプを新たに選択することができる。
【００６２】
第２実施例によれば、既に選択中の操作信号がある場合には、その操作信号の操作出力が完了するまで次の操作信号を無効とすることができる。また、既に選択中の操作信号があっても、特定の操作信号を後優先処理で受け付け操作出力を行うことができる。従って、従来の操作盤の操作スイッチと同様に後優先を個別に設定し、後優先処理できるためオペレータの誤操作を防止すると共に、オペレータの負担軽減が図れる。
【００６３】
次に、本発明の第３実施例を図１０を参照して説明する。
【００６４】
図１０が従来例を示す図２９と同一符号は、同一部分または相当部分を示し、両者が異なる点は、計算機４に動作条件情報記憶手段１４と条件状態記憶手段１５と動作条件判定手段１６と条件状態制御規定情報記憶手段１７と条件状態制御手段１８とを追設したことで、第３実施例では、機器が選択され、例えば、操作指令としてタッチ操作装置５Ｂをオン・オフ・オンと押すと機器が動作するような場合にも従来のスイッチ盤と同様に操作可能とするものである。
【００６５】
ここで、動作条件情報記憶手段１４は、操作信号毎に予め動作する条件を指標によって設定したものである。条件状態制御規定情報記憶手段１７は、操作信号毎に操作信号オンまたはオフに対して条件状態を作り出すため予め情報を設定したものである。条件状態記憶手段１５は、動作条件判定手段１６の処理結果を条件状態として指標として記憶するものである。
【００６６】
条件状態制御手段１８は、条件状態制御規定情報記憶手段１７の設定情報と操作信号の状態と条件状態記憶手段１５の条件状態とから今回入力した操作信号に対応する動作条件となる条件状態を求め条件状態記憶手段１５へ記憶するものである。
【００６７】
動作条件判定手段１６は、動作条件情報記憶手段１４の動作条件と条件状態記憶手段１５の条件状態とから所定の条件に合致するか否か判定し、合致するとき、操作出力手段３へ操作出力要求をするものである。
【００６８】
まず、表示装置５Ａに操作画面が表示され、オペレータによって第１実施例および第２実施例が同様に受付範囲情報記憶手段１によって機器の選択がされビットマップ出力信号が出力されているものとする。次に、オペレータがタッチ操作装置５Ｂをオン・オフして操作指令を入力する。
【００６９】
具体的に、条件状態制御手段１８の処理を図１１を参照して説明すると、まず、タッチ操作装置５Ｂを押したときをオン、離した時をオフとした状態の情報を持った操作信号の状態が通知されると、条件状態制御手段１８は、条件状態記憶手段１５に記憶されている条件状態を取り出すと共に、条件状態制御規定情報記憶手段１７より通知された操作信号の情報を取り出す。
【００７０】
ここで、条件状態制御規定情報記憶手段１７は、図１２に示すように操作信号毎にビット０，ビット１，ビット２の位置にそれぞれ０または１を予め設定しており、条件状態記憶手段１５には、図１３に示すように操作信号毎に０または１条件状態が記憶されている。
【００７１】
例えば、操作信号オンが操作入力手段２から入力されると、図１４に示す如くの処理がされる（６０１，６０２）。
【００７２】
まず、図１４に示す如く操作信号がオンで、条件状態制御規定情報記憶手段１７のビット０，１，２が０，０，１とし、条件状態記憶手段１５の条件状態を０とする。この条件で条件状態制御手段１８が条件状態制御規定情報記憶手段１７のビット０の情報（０）を読み込み、ＮＯＴ１８ａを介した１の信号と操作入力手段２からの操作信号オンとがＡＮＤ１８ｂに入力して１の信号を出力する一方、条件状態記憶手段１５から条件状態（０）と操作信号オンとがＡＮＤ１８ｃに入力して、ＮＯＴ１８ｄを介して信号［１］がＡＮＤ１８ｅへ出力する。
【００７３】
ＡＮＤ１８ｅでは、ＡＮＤ１８ｂからの１とＮＯＴ１８ｄからの１を入力して１をＯＲ１８ｆへ出力する。一方、ＡＮＤ１８ｈでは、ＡＮＤ１８ｃの０の出力と条件状態制御規定情報記憶手段１７のビット１の（０）をＮ０Ｔ１８ｇを介した１を入力して０をＯＲ１８ｆへ出力する。この結果、ＯＲ１８ｆから条件状態１として出力されて条件状態記憶手段１５へ記憶される（６０３）。
【００７４】
また、例えば、操作信号オフが入力されたとすると、図１５に示す如くの処理がされる（６０１，６０４）。
【００７５】
まず、操作信号がオンで、条件状態制御規定情報記憶手段１７のビット０，１，２が０，０，１とし、条件状態記憶手段１５の条件状態０とすれば、条件状態制御規定情報記憶手段１７のビット０の（０）と操作信号オフの（０）とを入力したＡＮＤ１８ｉによってＡＮＤ１８ｊへ０が出力される。
【００７６】
また、ＡＮＤ１８ｋでは、操作信号オフの［０］と条件状態制御規定情報記憶手段１７の条件状態［０］とを入力して０をＮＯＴ１８ｍとＡＮＤ１８ｎへ出力する。次に、ＡＮＤ１８ｊでは、０をＯＲ１８ｐへ出力し、ＡＮＤ１８ｎでは条件状態制御規定情報記憶手段１７のビット２の（１）をＮＯＴ１８ｑで０としたものとＡＮＤ１８ｋの０とからＯＲ１８ｐから０を出力する。この結果、ＯＲ１８ｐから条件状態として（０）が出力され条件状態記憶手段１５がそのまま０に設定される（６０４）。
【００７７】
この条件状態制御手段１８の上記処理をまとめると、図１６に示すようになり、例えば、図示矢印例では、条件状態制御規定情報記憶手段１７のビット０，１，２が０，０，１のときで、かつ、条件状態記憶手段１５の条件状態が０のとき、操作信号オンの入力すると条件状態が１となり、次に、操作信号オフが入力すれば、条件状態０となる。
【００７８】
このように、条件状態制御手段１８は条件状態制御規定情報記憶手段１７のビット０，１，２の設定に従って、条件状態記憶手段１５に設定する条件状態が決まる。そして、条件状態記憶手段１５に条件状態を設定した後に、動作条件判定手段１６へ操作信号を通知する。
【００７９】
動作条件判定手段１６は、図１７に示す手順で、まず、条件状態記憶手段１５の条件状態と動作条件情報記憶手段１４の動作条件を取り出す（７０１，７０２）。
【００８０】
動作条件情報記憶手段１４は、図１８に示すように操作信号毎に動作条件として０，１，２のいずれかが記憶されたものである。
【００８１】
次に、動作条件判定手段１６は、動作条件情報記憶手段１４の動作条件が２か否かを判定し、２の場合、操作出力手段３へ操作出力要求をする（７０３，７０４）。
【００８２】
また、動作条件が２でなく、動作条件が０で、かつ、条件状態記憶手段１５の条件状態が０のとき、操作出力手段３へ操作出力要求をする（７０５，７０４）。さらに、動作条件が０または２でなく、動作条件が１で、かつ、条件状態記憶手段１５の条件状態が１のとき、条件状態記憶手段１５へ操作出力要求をする（７０６，７０４）。
【００８３】
このように、動作条件が０で、条件状態記憶手段１５の状態が０のときに操作出力を要求し、動作条件１で条件状態記憶手段１５が１のときに操作出力を要求する。また、動作条件２は無条件に操作出力の要求する。
【００８４】
例えば、通知された操作信号の動作条件情報記憶手段１４に記憶された動作条件が０とすると、前記条件状態制御規定情報記憶手段１７の対象の操作信号のビット０，１，２が０１０であった場合、条件状態制御手段１８により、条件状態が０で１回目の操作信号オン・オフで条件状態１（図１６左欄）となる。
【００８５】
次に、条件状態１で、２回目の操作信号オン・オフで条件状態記憶手段１５が条件状態０（図１６右欄）と記憶される。このときに、動作条件判定手段１６は動作条件を満たしたと判断し、操作出力手段３へ出力要求を行う。これは、１度目で操作の確認をして、２度目の操作で実際の動作させる場合などの２度押し操作の例である。操作出力手段３は、操作出力の要求が行われると出力装置へ操作出力を行う。
【００８６】
従来の操作装置では、操作信号オン・オフがそのままの状態で操作出力手段３から出力されるが、第３実施例によれば、条件状態制御手段１８が条件状態制御規定情報記憶手段１７のビット０，１，２の設定に従って、条件状態記憶手段１５に設定する条件状態０または１のいずれかに決まる。動作条件判定手段１６が条件状態０または１が対して動作条件と比較して操作出力するか否かを判定する。従って、操作信号毎に操作出力の動作条件が定められ、動作条件と条件状態とによって操作されるため、誤操作が防止され、オペレータの判断を要することなく、オペレータの負担が軽減される。
【００８７】
次に、本発明の第４実施例を図１９を参照して説明する。
【００８８】
図１９が第３実施例に示す図１０と同一符号は、同一部分または相当部分を示し、図１９は図１０にプロセス制御装置１９とプロセス状態入力手段２０と操作出力記憶手段２１とを追設している。
【００８９】
プロセス制御装置１９は、制御対象を制御すると共に、プロセス状態をプロセス状態入力手段２０へ出力するものである。プロセス状態入力手段２０は、プロセス制御装置１９からプロセス状態を入力して動作条件判定手段１６へ出力するものである。
【００９０】
操作出力記憶手段２１は、条件成立動作規定情報記憶手段２２と条件不成立動作規定情報記憶手段２３とからなり、条件成立動作規定情報記憶手段２２には動作条件成立時の操作出力内容を記憶し、条件不成立動作規定情報記憶手段２３には、動作条件不成立時の操作出力内容を記憶したものである。
【００９１】
まず、オペレータが入力装置５から入力すると、操作信号が操作入力手段２へ入力される。操作入力手段２および条件状態制御手段１８では前記の第３実施例で説明したと同様の動作がされる。
【００９２】
動作条件判定手段１６では、前記の第３実施例で説明したと同様に条件状態記憶手段１５の条件状態とプロセス状態入力手段２０からのプラント状態とを取り込んで、動作条件情報記憶手段１４の動作条件と比較し、条件の成立または不成立を判定して操作出力手段３へ操作信号と共に通知する。
【００９３】
ここで、動作条件情報記憶手段１４は、条件状態記憶手段１５の条件状態を動作条件の状態として使用するか、プロセス制御装置１９のプロセス状態を動作条件の状態として使用するかが操作信号毎に記憶されており、これと共に、動作条件の条件状態も記憶されている。また、プロセス状態を使用する場合には、その条件状態とするプロセスのポイント番号も記憶されている。
【００９４】
ここで、例えば、プロセス制御装置１９が制御するＡとＢのポンプがあり２重化を構成し、通常は、２つある内の片側のポンプが動作している場合について詳細に説明する。
【００９５】
まず、どちらのポンプに操作出力を行うかを決定するために、動作条件情報記憶手段１４にプロセスの状態を動作条件として記憶させておき、また、どちらのポンプを使用しているかを示すプロセス信号のポイント番号とそのポイントが示す状態が０のときＡのポンプ使用中となる場合の条件状態を０として記憶させておく。
【００９６】
そして、動作条件判定手段１６では、操作信号が通知されると、動作条件情報記憶手段１４に記憶されたポイント番号に対応するプロセス状態をプロセス状態入力手段２０を介してプロセス制御装置１９より入力し、条件状態と同一か否かを比較判定し、同一であれば条件成立、不一致であれば条件不成立と判定する。
【００９７】
動作条件判定手段１６は、操作出力手段３へ動作条件が成立したか否かを操作信号とともに通知する。動作条件が成立したか否かとその操作信号が操作出力手段３へ通知されると、動作条件成立の時には、図２０に示す構成の操作出力記憶手段２１の条件成立動作規定情報記憶手段２２に記憶された操作出力内容（例えば、Ａポンプ起動）が出力装置６へ出力される一方、動作条件不成立の時には、操作出力記憶手段２１の条件不成立動作規定情報記憶手段２３に記憶された操作出力内容（例えば、Ｂポンプ起動）が、出力装置６へ出力される。
【００９８】
図２０に示す操作出力記憶手段２１の条件成立動作規定情報記憶手段２２と条件不成立動作規定情報記憶手段２３とには操作信号毎にその操作信号の動作条件に対応した操作出力の内容が記憶されている。
【００９９】
例えば、前記の動作条件判定手段１６の判定によって、条件成立のときＡのポンプを起動し、条件不成立のとき、例えば、Ｂポンプ故障のときＢのポンプを起動させる。条件成立動作規定情報記憶手段２２には、Ａポンプへの操作出力内容としてＡポンプの起動操作出力を記憶しておき、条件不成立動作規定情報記憶手段２３には、Ｂポンプへの操作出力内容として、Ｂポンプの起動操作出力を記憶しておく。これにより、操作出力手段３は、条件成立のときはＡポンプの起動操作出力を出力装置６で行い、不成立のときにはＢポンプの操作出力を出力装置６へ行う。
【０１００】
第４実施例によれば、動作条件情報記憶手段１４に予め設定した動作条件にプロセスの状態を含め条件状態記憶手段１５と対応するプロセスの状態から動作条件判定手段１６が条件の成立または不成立を判定することができる。従って、操作状態あるいはプラント状態が規定状態でない場合、例えば、プラント機器が故障したときオペレータが、特別の操作を行わなくても一つの操作により操作出力すべきものを自動的に判断し、操作出力を行うことができ、オペレータの誤動作の防止と負担を低減することができる。
【０１０１】
次に、本発明の第５実施例を図２１を参照して説明する。
【０１０２】
図２１が従来例を示す図２９と同一符号は、同一部分または相当部分を示し、両者が異なる点は、ステップ有効判定手段２４と次ステップ設定情報記憶手段２５と次ステップ設定手段２６とステップ情報記憶手段２７とを追設したことである。
【０１０３】
ステップ有効判定手段２４は、ステップ情報記憶手段２７からステップ情報と受付範囲情報記憶手段１の対応する操作情報の範囲とから有効な操作信号と判定したとき、次ステップ設定手段２６へ操作信号と操作手順を通知する。
【０１０４】
次ステップ設定情報記憶手段２５は、予め操作手順に従い組毎に情報を操作手順分を記憶している。次ステップ設定手段２６は、通知された操作信号とその操作手順の組から次ステップ設定情報記憶手段２５から対応するステップ情報をステップ情報記憶手段２７へ設定する。ステップ情報記憶手段２７は、次ステップ設定手段２６によつて次のステップ情報を記憶している。
【０１０５】
次に、具体例をもって第５実施例の作用を説明する。
【０１０６】
まず、図２２に示すように操作手順（ステップ）が３段階あり、初めに操作手順１組（ステップ１）Ａ系統、Ｂ系統の系統選択、続いて、操作手順２組（ステップ２）としてＸ弁、Ｙ弁、Ｚ弁のいずれかの弁選択、最後に操作手順３組（ステップ３）として開閉の動作選択があるとする。
【０１０７】
ここで、受付範囲情報記憶手段１には、図２３に示すように、各操作手順（ステップ）の受け付ける範囲として、操作手順１組（ステップ１）には「Ａ系統選択信号」、「Ｂ系統選択信号」、操作手順２組（ステップ２）には「Ｘ弁選択信号」、「Ｙ弁選択信号」、「Ｚ弁選択信号」、操作手順３組（ステップ３）には「開選択信号」、「閉選択信号」が記憶されている。
【０１０８】
まず、入力装置５から入力される操作情報が操作入力手段２を介してステップ有効判定手段２４へ入力される。ステップ有効判定手段２４では、図２４に示す処理手順によってステップ情報記憶手段２７に記憶されている現在有効の操作手順（ステップ）の位置を取り出す（８０１，８０２）。
【０１０９】
ステップ情報記憶手段２７は、図２７に示す如く受付範囲情報記憶手段１に記憶している操作手順（ステップ）の組毎の操作信号の受付範囲の記憶順と同一の順で、操作手順（ステップ）の有効・無効を示す情報を０が無効、１が有効として記憶している。
【０１１０】
これによって、ステップ有効判定手段２４は、ステップ情報記憶手段２７から有効な操作手順（ステップ）の位置を取り出し、この位置を受付範囲情報記憶手段１に記憶している操作手順（ステップ）の組順として、受付範囲の情報を取り出し、入力した操作情報が有効な操作信号か否かを判定する（８０４）。
【０１１１】
そして、有効な操作信号を入力したときには、次ステップ設定手段２６に対して有効とした操作信号とその操作手順（ステップ）の組を通知する（８０５）。この処理は全てのステップについて行われる（８０６，８０７）。
【０１１２】
続いて、次ステップ設定手段２６は、図２６に示す処理を行い、操作信号とその操作手順（ステップ）の組が通知されると、通知された操作手順（ステップ）の組と操作信号から次ステップ設定情報記憶手段２５の該当するステップ情報記憶手段２７と同様の構成の情報を取り出し、ステップ情報記憶手段２７へ記憶させる（９０１）。
【０１１３】
ここで、次ステップ設定情報記憶手段２５は、図２７に示すように操作手順（ステップ）の順序に情報が記憶され、その操作手順（ステップ）の組毎に受け付ける操作信号毎に次の操作で入力を有効とするか否かを示す情報を図２５のステップ情報記憶手段２７と同様な構成で全ての操作手順分を記憶している。
【０１１４】
例えば、図２７では、操作手順２組で、操作信号１の操作がされた後に、次の操作手順のいずれが有効となるかを示している。
【０１１５】
次に、有効とされる操作手順を図２８に示すように設定して、操作出力の要求を操作出力手段３へ行う（９０２）。操作出力手段３は、操作出力要求を受けると出力装置６へ弁の開閉指令などの操作出力を行う。
【０１１６】
例えば、図２８では、次に有効となる操作手順（ステップ）を表し、ｂｉｔ０，１，２に対して操作手順（ステップ）１，２，３組があり、まず、操作手順（ステップ）１組のＡ系統選択操作信号とＢ系統選択操作信号のいずれかが操作されると操作手順（ステップ）１組と操作手順（ステップ）２組が有効で操作手順（ステップ）３組は無効であることを示している。
【０１１７】
次に、操作手順（ステップ）２組では、全ての操作手順が有効で操作手順（ステップ）３組では、操作手順（ステップ）１組のみ有効であることを示している。
【０１１８】
第５実施例によれば、例えば、図２２のＡ系統またはＢ系統を選択すると、次のステップの弁の選択操作が有効となり、Ｘ弁またはＹ弁またはＺ弁を選択すると、次のステップの開閉の操作指示の選択操作が有効とる。従って、従来の操作盤の操作スイッチをオペレータが操作するときと同様の操作内容となり、一つの操作がされると、次のステップの操作が有効になるためオペレータの誤操作を防止すると共に、オペレータの負担を低減できる。
【０１１９】
【発明の効果】
請求項１の発明は、優先処理する操作信号が入力して優先処理中、次の操作信号を無効とすることができる。従って、従来の操作装置の各操作盤の操作スイッチと同様の優先処理が個別に操作信号毎に設定でき誤操作を防止し、オペレータの負担を低減する。
【０１２０】
請求項２の発明は、既に選択中の操作信号がある場合には、その操作信号の操作出力が完了するまで次の操作信号を無効とすることができるが、既に選択中の操作信号があっても特定の操作信号を後優先として受け付け操作出力を行うことができる。従って、従来の操作盤の操作スイッチと同様に後優先を個別に設定し、優先処理できるためオペレータの誤操作を防止すると共に、オペレータの負担低減ができる。
【０１２１】
請求項３の発明は、条件状態に対して動作条件と比較され操作出力するか否かが判定される。従って、入力された操作信号の状態がそのまま出力されるのでなく、操作信号毎に操作出力の動作条件が定められ、動作条件と条件状態とによって操作されるため、誤操作が防止され、オペレータの判断を要することなく、オペレータの負担が低減される。
【０１２２】
請求項４の発明は、今回の条件状態とプラントの状態と動作条件とに基づく判定によって動作条件の成立または不成立が決定され、この決定に対応して操作内容により操作出力手段へ操作出力の要求がされる。従って、操作状態あるいはプラント状態が規定状態でない場合にオペレータが操作出力を判断しなくても自動的に判断し、操作出力を行うことができ、オペレータの誤動作の防止と操作負担を低減することができる。
【０１２３】
請求項５の発明は、ある操作手順を選択すると、次の操作ステップの選択操作が有効となり、その操作を選択すると、次の操作ステップの選択操作が有効となる。従って、従来の操作盤の操作スイッチをオペレータが操作するときと同様の操作内容となり、一つの操作がされると、次のステップの操作が有効になるためオペレータの誤操作を防止すると共に、オペレータの負担を低減できる。
【図面の簡単な説明】
【図１】本発明の第１実施例を示す操作装置の構成図である。
【図２】図１の先優先入力判定手段の処理を示すフローチャートである。
【図３】図１の優先有無記憶手段のファイルの一例を示す構成図である。
【図４】図１の優先指標設定手段の処理を示すフローチャートである。
【図５】図１の優先指標情報記憶手段のファイルの一例を示す構成図である。
【図６】本発明の第２実施例を示す操作装置の構成図である。
【図７】図６の後優先入力判定手段の処理を示すフローチャートである。
【図８】図６の選択中指標記憶手段のファイルの一例を示す構成図である。
【図９】図６の選択中指標設定手段の処理を示すフローチャートである。
【図１０】本発明の第３実施例を示す操作装置の構成図である。
【図１１】図１０の条件状態制御手段の処理を示すフローチャートである。
【図１２】図１０の条件状態制御規定情報記憶手段のファイルの一例を示す構成図である。
【図１３】図１０の条件状態記憶手段のファイルの一例を示す構成図である。
【図１４】図１０の条件状態制御手段の操作信号オン時の処理を示す論理回路図である。
【図１５】図１０の条件状態制御手段の操作信号オフ時の処理を示す論理回路図である。
【図１６】図１０の条件状態制御手段の処理による条件状態の遷移図である。
【図１７】図１０の動作条件判定手段の処理を示すフローチャートである。
【図１８】図１０の動作条件情報記憶手段のファイルの一例を示す構成図である。
【図１９】本発明の第４実施例を示す操作装置の構成図である。
【図２０】図１９の操作出力記憶手段のファイルの一例を示す構成図である。
【図２１】本発明の第５実施例を示す操作装置の構成図である。
【図２２】図２１の具体的な操作手順を示す説明図である。
【図２３】図２１の受付範囲情報記憶手段の構成図である。
【図２４】図２１のステップ有効判定手段の処理手順を示すフローチャートである。
【図２５】図２１のステップ情報記憶手段の一例を示す構成図である。
【図２６】図２１の次ステップ設定手段の処理手順を示すフローチャートである。
【図２７】図２１の次ステップ設定情報記憶手段の一例を示す構成図である。
【図２８】図２１の次ステップ設定情報記憶手段の具体的な内容を示す説明図である。
【図２９】従来例を示す操作装置の構成図である。
【図３０】図２９の受付範囲情報記憶手段の処理手順を示すフローチャートである。
【図３１】図２９の受付範囲情報記憶手段のファイルの一例を示す構成図である。
【図３２】従来の操作画面の一例を示す説明図である。
【図３３】従来の操作信号の構成例を示す説明図である。
【図３４】従来の操作信号の他の例を示す説明図である。
【図３５】従来の操作信号の他の例を示す説明図である。
【図３６】従来の操作信号の他の例を示す説明図である。
【符号の説明】
１    受付範囲情報記憶手段
２    操作入力手段
３    操作出力手段
５    入力装置
６    出力装置
７    優先有無記憶手段
８    先優先入力判定手段
９    優先指標情報記憶手段
１０    優先指標設定手段
１１    後優先入力判定手段
１２    選択中指標記憶手段
１３    選択中指標設定手段
１４    動作条件情報記憶手段
１５    条件状態記憶手段
１６    動作条件判定手段
１７    条件状態制御規定情報記憶手段
１８    条件状態制御手段
２０    プロセス状態入力手段
２１    操作出力記憶手段
２２    条件成立動作規定情報記憶手段
２３    条件不成立動作規定情報記憶手段
２４    ステップ有効判定手段
２５    次ステップ設定情報記憶手段
２６    次ステップ設定手段
２７    ステップ情報記憶手段
【図１】
0003682306.tif 000002
【図２】
0003682306.tif 000003
【図３】
0003682306.tif 000004
【図４】
0003682306.tif 000005
【図５】
0003682306.tif 000006
【図６】
0003682306.tif 000007
【図７】
0003682306.tif 000008
【図８】
0003682306.tif 000009
【図９】
0003682306.tif 000010
【図１０】
0003682306.tif 000011
【図１１】
0003682306.tif 000012
【図１２】
0003682306.tif 000013
【図１３】
0003682306.tif 000014
【図１４】
0003682306.tif 000015
【図１５】
0003682306.tif 000016
【図１６】
0003682306.tif 000017
【図１７】
0003682306.tif 000018
【図１８】
0003682306.tif 000019
【図１９】
0003682306.tif 000020
【図２０】
0003682306.tif 000021
【図２１】
0003682306.tif 000022
【図２２】
0003682306.tif 000023
【図２３】
0003682306.tif 000024
【図２４】
0003682306.tif 000025
【図２５】
0003682306.tif 000026
【図２６】
0003682306.tif 000027
【図２７】
0003682306.tif 000028
【図２８】
0003682306.tif 000029
【図２９】
0003682306.tif 000030
【図３０】
0003682306.tif 000031
【図３１】
0003682306.tif 000032
【図３２】
0003682306.tif 000033
【図３３】
0003682306.tif 000034
【図３４】
0003682306.tif 000035
【図３５】
0003682306.tif 000036
【図３６】
0003682306.tif 000037